(57)【要約】      （修正有）【課題】従来と比較して一段と容易に、紐の取付け及び取外しを行うことができる吊具を提供する。【解決手段】釣針状に形成され、斜め下方が開口した引掛部２０と、引掛部２０の下端に接続するようにして、引掛部２０に一体成形され、環状又は多角形状に形成された紐取付部３０と、紐取付部３０の内側に形成された中空部４０と、紐取付部３０に、中空部４０を開口するようにして形成され、外側から中空部４０に通じる間隙からなる紐導入部５０と、紐取付部３０に一体成形され、紐導入部５０のうち、中空部４０側の開口端の幅が、取付対象の紐の太さより短くなるように、突出するようにして形成されたエッジ部６０と、紐取付部３０の中空部４０側に一体成形され、かつ紐導入部５０のうち、中空部４０側の開口端付近に、エッジ部６０の延伸方向を遮るようにして、紐取付部３０から中空部４０側に突出して形成された突起部８０とを備える。【選択図】図１
2019111284.tif 000002
【特許請求の範囲】
【請求項１】
釣針状に形成され、斜め下方が開口した引掛部と、
前記引掛部の下端に接続するようにして、前記引掛部に一体成形され、環状又は多角形状に形成された紐取付部と、
前記紐取付部の内側に形成された中空部と、
前記紐取付部に、前記中空部を開口するようにして形成され、外側から前記中空部に通じる間隙からなる紐導入部と、
前記紐取付部に一体成形され、前記紐導入部のうち、前記中空部側の開口端の幅が、取付対象の紐の太さより短くなるように、突出するようにして形成されたエッジ部と、
前記紐取付部の前記中空部側に一体成形され、かつ前記紐導入部のうち、前記中空部側の開口端付近に、前記エッジ部の延伸方向を遮るようにして、前記紐取付部から前記中空部側に突出して形成された突起部と
を備えることを特徴とする吊具。
【発明の詳細な説明】
【技術分野】
【０００１】
本発明は、吊具に関する。
【背景技術】
【０００２】
従来、紐を吊り下げるための吊具として、例えばＳ字状に形成されたフックなど、種々のものが開発及び提案されている（例えば、特許文献１及び２参照）。
【先行技術文献】
【特許文献】
【０００３】
【特許文献１】特開２０１４−１７１５１４号公報
【特許文献２】特開２００４−０１６８０５号公報
【発明の概要】
【発明が解決しようとする課題】
【０００４】
本発明は、従来と比較して一段と容易に、紐の取付け及び取外しを行うことができる吊具を提供することを目的とする。
【課題を解決するための手段】
【０００５】
本発明の吊具は、
釣針状に形成され、斜め下方が開口した引掛部と、
前記引掛部の下端に接続するようにして、前記引掛部に一体成形され、環状又は多角形状に形成された紐取付部と、
前記紐取付部の内側に形成された中空部と、
前記紐取付部に、前記中空部を開口するようにして形成され、外側から前記中空部に通じる間隙からなる紐導入部と、
前記紐取付部に一体成形され、前記紐導入部のうち、前記中空部側の開口端の幅が、取付対象の紐の太さより短くなるように、突出するようにして形成されたエッジ部と、
前記紐取付部の前記中空部側に一体成形され、かつ前記紐導入部のうち、前記中空部側の開口端付近に、前記エッジ部の延伸方向を遮るようにして、前記紐取付部から前記中空部側に突出して形成された突起部と
を備える。
【発明の効果】
【０００６】
本発明の吊具によれば、従来と比較して一段と容易に、紐の取付け及び取外しを行うことができる。
【図面の簡単な説明】
【０００７】
【図１】本発明の実施の形態による吊具の構成を示す斜視図及び側面図である。
【図２】同吊具に紐を取り付ける場合の様子を示す斜視図及び側面図である。
【発明を実施するための形態】
【０００８】
以下、本発明の実施の形態について図面を参照して説明する。
【０００９】
図１は、本発明の実施の形態による吊具１０の構成を示す。このうち、図１（ａ）は、吊具１０の斜視図を示し、図１（ｂ）は、吊具１０を側方から視認した場合の側面図を示す。図２は、吊具１０に紐７０を取り付ける場合の様子を示す。このうち、図２（ａ）は、吊具１０に紐７０を取り付けようとする場合の斜視図を示し、図２（ｂ）は、吊具１０に紐７０を取り付けた場合の斜視図を示し、図２（ｃ）は、吊具１０に紐７０を取り付けた場合の側面図を示す。
【００１０】
吊具１０は、釣針状に形成され、斜め下方が開口した引掛部２０と、引掛部２０の下端に接続するようにして、引掛部２０に一体成形され、環状に形成された紐取付部３０とを有する。
【００１１】
より具体的には、引掛部２０は、釘やワイヤーネットなどに引掛けるためのものであり、例えばＣ字状やＪ字状など、斜め下方を開口させるようにして、線状部材を湾曲することにより、釣針状に形成されている。
【００１２】
一方、紐取付部３０は、展示用パネルやハンガーディスプレイなどを吊り下げる吊下げ用の紐を中空部４０に挿通することにより、当該紐を取り付けるためのものであり、例えば円形状や多角形状など、中空部４０の周囲を廻るようにして、線状部材を湾曲することにより、環状又は多角形状に形成されている。
【００１３】
また、吊具１０の中央付近、すなわち引掛部２０及び紐取付部３０の接続付近には、紐取付部３０の内側に形成された中空部４０を開口するようにして、外側から中空部４０に通じる間隙として、紐導入部５０が形成されている。この紐導入部５０は、その幅が取付対象の紐７０の太さより短くなるように形成されている。要は、紐導入部５０は、紐取付部３０に、中空部４０を開口するようにして形成されている。
【００１４】
また、紐導入部５０のうち、中空部４０側の開口端には、中空部４０に挿通及び取り付けられた紐７０が、紐導入部５０を通じて中空部４０から外側に抜けることを防止するためのエッジ部６０が形成されている。
【００１５】
エッジ部６０は、紐導入部５０のうち、中空部４０側の開口端の幅が、取付対象の紐７０の太さより短くなるように、例えば先鋭な先端を有する突起によって、突出するようにして形成されている。
【００１６】
さらに、本実施の形態の場合には、紐導入部５０のうち、中空部４０側の開口端付近には、エッジ部６０の延伸方向を遮るようにして、突起部８０が、紐取付部３０から中空部４０側に突出するように形成されている。
【００１７】
これにより、突起部８０を設けない場合と比較して、中空部４０に挿通及び取り付けられた紐７０が、紐導入部５０を通じて中空部４０から外側に抜けることを確実に防止することができる。
【００１８】
この吊具１０に紐７０を取り付ける際には、まず、紐導入部５０のうち、外側開口端に紐７０を接触させた状態で（図２（ａ））、紐取付部３０の内側に形成された中空部４０内に、紐７０を引き込もうとすると、紐導入部５０の幅が広がりつつ、紐７０が細くなることにより、紐７０が中空部４０内に引き込まれ、取り付けられる（図２（ｂ））。
【００１９】
このようにして、紐７０は、紐導入部５０を通過する際には、一旦細くなるが、中空部４０内部に引き込まれると、本来の太さにまで復帰するため、紐７０が紐導入部５０の中空部４０側開口端に接触しても、紐７０が突起部８０に引っ掛かることにより、紐７０が紐導入部５０から意図せず抜けることを防止することができる（図２（ｃ））。
【００２０】
なお、この吊具１０から紐７０を取り外す場合には、紐７０の一端を保持した状態で、再度、紐取付部３０の中空部４０内に、紐７０を引き込もうとすれば、紐７０は吊具１０から容易に取り外すことができる。
【００２１】
従って本実施の形態によれば、従来と比較して一段と容易に、紐の取付け及び取外しを行うことができる。
【００２２】
このように、本実施の形態の吊具１０は、釣針状に形成され、斜め下方が開口した引掛部２０と、引掛部２０の下端に接続するようにして、引掛部２０に一体成形され、環状又は多角形状に形成された紐取付部３０と、紐取付部３０の内側に形成された中空部４０と、紐取付部３０に、中空部４０を開口するようにして形成され、外側から中空部４０に通じる間隙からなる紐導入部５０と、紐取付部３０に一体成形され、紐導入部５０のうち、中空部４０側の開口端の幅が、取付対象の紐７０の太さより短くなるように、突出するようにして形成されたエッジ部６０と、紐取付部３０の中空部４０側に一体成形され、かつ紐導入部５０のうち、中空部４０側の開口端付近に、エッジ部６０の延伸方向を遮るようにして、紐取付部３０から中空部４０側に突出して形成された突起部８０とを備える。
【符号の説明】
【００２３】
１０  吊具
２０  引掛部
３０  紐取付部
４０  中空部
５０  紐導入部
６０  エッジ部
７０  紐
８０  突起部
【図１】
2019111284.tif 000003
【図２】
2019111284.tif 000004